(57)【要約】  取付けシステムは取付けプレート（３１）、特にスイッチキャビネット壁と、前記取付けプレート（３１）に固定するための機能構成グループのモジュール保持体（１）を有している。前記モジュール保持体（１）はモジュール保持プレート（１２）と一体に該モジュール保持プレート（１２）から切出されかつ該モジュール保持体（１２）から折曲げられれて構成された少なくと１つの保持レール（９，１０）を前記機能構成グループのコンポーネントを保持するために有している。
2009514488.tif 000002
【特許請求の範囲】
【請求項１】
取付けプレート（３１）、特にスイッチキャビネット壁と、前記取付けプレート（３１）に固定するための機能構成グループのモジュール保持体（１）とを有する取付けシステムであって、前記モジュール保持体（１）が、モジュール保持体プレート（１２）と一体に該モジュール保持プレート（１２）から切出されかつ該モジュール保持プレート（１２）から折曲げられて構成された少なくとも１つの保持レール（９，１０）を前記機能構成グループのコンポーネントを保持するために有していることを特徴とする、取付けシステム。
【請求項２】
前記保持レール（９，１０）がC字形に構成されている、請求項１記載の取付けシステム。
【請求項３】
２つの保持レール（９，１０）が向き合って配置されている、請求項１又は２記載の取付けシステム。
【請求項４】
前記モジュール保持体（１）の前記モジュール保持プレート（１２）が、差込み体（２）を差込みかつ係止するための切欠き（８）を有している、請求項１から３までのいずれか１項記載の取付けシステム。
【請求項５】
前記差込み体（２）が前記モジュール保持プレート（１２）を掴む段部（１７，１８）を有する、ばね弾性的に構成された脚部（１５，１６）を有している、請求項４記載の取付けシステム。
【請求項６】
前記モジュール保持体（１）内へ挿込むための曲げ部材（２１）が設けられている、請求項１から５までのいずれか１項記載の取付けシステム。
【請求項７】
前記取付けプレート（３１）に差込むために、調節可能なクランクプレート（３０）を有するクランプ（２５）が設けられている、請求項１から６までのいずれか１項記載の取付けシステム。
【発明の詳細な説明】
【技術分野】
【０００１】
本発明はモジュールを特にスイッチキャビネットに取付けるシステムに関する。
【０００２】
スイッチキャビネットにおける前記形式の取付けシステムは例えばＤＥ１９７４３９７４Ａ１号明細書により公知である。
【０００３】
そこには、スイッチキャビネットボックスが複数のモジュールを有しているスイッチキャビネットが図示されかつ記載されている。モジュールは、スイッチキャビネット内に定置された、ハット形状に構成されたモジュール保持体としての保持レールの上に取付けられている。個々のモジュールの接続はモジュールにおける接触ナイフを介して実現されている。
【０００４】
本発明の課題は特にスイッチキャビネットにおけるモジュールの取付けを改良することである。
【０００５】
前記課題は、モジュール保持体が、モジュール保持プレートと一体に、該モジュール保持プレートから切出されかつモジュール保持プレートから折曲げられて構成された保持レールを前記機能構成グループのコンポーネントを保持するために有している高速取付けシステムによって解決された。
【０００６】
本発明の理解を容易にするためにはヨーロッパ特許出願０２００９９０８号明細書を参照されたい。当該明細書の開示内容は本発明の特許出願の内容に統合されるものと見なされるべきである。
【０００７】
保持レールは有利にはC字形に構成され、機能構成グループのコンポーネントを固定的にクランプできるように構成されていると有利である。
【０００８】
機能構成グループのコンポーネントの固定をさらに改善するためには２つの保持レールが向き合って配置されていると有利である。
【０００９】
差込み体、特に複式差込み体の迅速な取付けもしくは取外しは、モジュール保持体のモジュール保持プレートが差込み体を挿込みかつ係止するための切欠きを有していることで達成される。このクリップメカニズムは独立した発明と見做されることもできる。
【００１０】
クリップメカニズムの形式による係止は、差込み体がモジュール保持プレートを掴むための段部を備えた、ばね弾性的に構成された脚部を有していることによって技術的に変更することができる。
【００１１】
可視的なケーブル案内を行なうためにはモジュール保持体へ挿込むための曲げ部材が用いられることが有利である。この曲げ部材はケーブル、データ導線又はエネルギ導線を導く保持体として作用する。これにより、取付けプレートにルーズに垂れ下がるケーブル又は導線は回避される。曲げ部材は、この曲げ部材も独立した発明として見なすことができる。
【００１２】
ケーブル、データ導線又はエネルギ導線の引張負荷を低減するためには取付けプレートに挿入される、調節可能なクランプレートを有するクランプが設けられている。このクランプも独立した発明と見做すことができる。
【００１３】
本発明の有利な実施例は図面に概略的に示されており、以下、図面に基づきこれを詳細に説明する。
【００１４】
図１はモジュール保持体の上のモジュールの斜視図。図２は図１に示されたモジュールエレメントを取去ったあとのモジュールをモジュール保持体と共に示した図。図３は図１のモジュール並びにモジュール保持体の横断面図。図４は図１のモジュール保持体を有するモジュールを一方の側から見た斜視図。図５は図１のモジュール保持体を有するモジュールの下面図。図６は図１に示されたモジュール保持体に挿入するためのU字形の曲げ部材の斜視図。図７は図８のキャビネット壁に使用するためのクランプの斜視図。図８はキャビネット壁の斜視図。
【００１５】
消費機、例えばモータ、ＨＦゼネレータ、弁又は加熱エレメントのエネルギ供給１電流供給を制御しかつ調整するためのすべての構成エレメントの全体は、図１に示されているように、機能構成グループとして金属薄板から成るモジュール保持体１の上に配置されている。モジュール保持体の上には自体公知であるために記述されていない機能構成グループの個々のコンポーネント、例えば複式差込み体２と、入口及び出口構成グループ３及び４と、１つだけが符号５で示されたクランプ５と、スイッチ６及び７とが配置されている。例として記述した前記機能構成グループと同様に任意数の別の機能構成グループがあらかじめ組立てられて設けられていることができる。機能構成グループ及びモジュール保持体１は機械及び構成部分中立のモジュール及び組木ブロックシステムの部分である。前記組木ブロックシステムはこれらの構成部分を多数有していることができる。
【００１６】
機能構成グループとモジュール保持体とから成る方向付けられた、中立のモジュールは「Ｐｌｕｇ＆Ｐｌａｙ」の形式でスイッチキャビネットに差込まれ、認識され、制御されかつ他のコンポーネントと組合わされることができる。
【００１７】
図２からはどのようにモジュール保持体１が構成されるかが示されている。一体に金属薄板から切断及び折曲げによって製作されたモジュール保持体１は複式差込み体２を差込んでかつ係止によって固定する切欠き８を有している。図を見やすくするためにクランプ５と複式差込み体２は図２には示されていない。図面からはモジュール保持体１が２つのＣ字形に構成された保持レール９と１０とを有していることが判る。保持レール９と１０は例えば金属薄板から切出され、折曲げられるかもしくは上方へ湾曲されるか又は起立させられることができる。保持レール９と１０は機能構成グループのコンポーネントの保持に役立つ。
【００１８】
保持レール９と１０の構成は図３の断面図により明確に示されている。図２と図３からはモジュール保持体１がＬ字形に構成された舌状部１１をモジュール保持体１をキャビネット壁に掛止するために有していることが示されている。それぞれモジュール保持体１の１つのコーナには１つの舌状部１１が対応配置されている。さらに図３はモジュール保持体１がモジュール保持プレート１２と、折曲げられた、循環する側方の縁部領域１３と、下方の縁部領域１４とを有していることも示している。したがってこの場合にはモジュール保持体１には下方に向かって開放した中空室が生じる。この中空室はデータ導線及び又はエネルギー導線を収納するために役立つ。
【００１９】
導線のカバーは図４にも示されている。付加的に図４には、複式差込み体２が２つの向き合った側に配置されたモジュール保持プレート２の側方縁部に向かってばね弾性的に構成された脚部１５，１６を有していることが図示されている。これらの脚部１５，１６はモジュール保持プレート１２が脚部１５，１６の段部１７，１８と、モジュール保持プレート１２の下側で複式差込み体２に設けられたストッパ１９と２０との間に挟持されるようにモジュール保持プレート１２を掴む（図５参照）。複式差込み体２が下からモジュール保持体２に差込まれる場合には段部１７，１８はその傾斜面を介して側方から内方へ押込まれ、次いでばね弾性的に戻ってモジュール保持プレート１２を上から掴む。
【００２０】
Ｕ字形の曲げ部材２１はモジュール保持体に差込まれた状態又は掛止めされた状態でケーブル又はケーブルビームのための保持体として作用する。自由端部２２と２３はモジュール保持体の孔に導入でき、該自由端部２２，２３は軽くＳ字状に構成されていることに基づき曲げ部材２１が矢印２４の方向で負荷された場合にはモジュール保持体に支えられかつ掛止される。曲げ部材２１はスイッチキャビネット壁に沿った可視のケーブル案内として役立つ。
【００２１】
図７に示されたクランプ２５はそのＴ字形の自由な脚端部２５，２６を介してスイッチキャビネット壁の対応する孔に掛止されることができる。脚部２７と２８との間には、調節ねじ２９を介してクランププレート３０が移動可能に配置されている。スイッチキャビネット壁と脚部２７及び２８との間並びに調節ねじ２９との間にはケーブル又はケーブルビームが引っ張り力が作用しないように挟持される。
【００２２】
図８にはモジュールを成す機能構成グループが、それぞれモジュール保持体を介して、図示されていない自体公知のスイッチキャビネットケーシングのキャビネット壁３１によって構成された、金属薄板から製作された高速取付け保持体に、切欠き又は孔に差込まれた舌状部を介してどのように掛止されるかが示されている。モジュールの機能構成グループの連結はバスシステムのインターフェース又は接続ケーブルを介して行なわれる。キャビネット壁３１はモジュール保持体、曲げ部材及びクランプを異って位置決めするためかつ／又は別の機能グループを有する別のモジュール保持体を取付けるために前記の如き切欠きを多数有している。固定ねじ又は錠止体を用いてスイッチキャビネット壁に交換可能及び取外し可能に取付けられたモジュール保持体は付加的に固定されていることができる。
【図面の簡単な説明】
【００２３】
【図１】モジュール保持体の上のモジュールの斜視図。
【図２】図１に示されたモジュールエレメントを取去ったあとのモジュールをモジュール保持体と共に示した図。
【図３】図１のモジュール並びにモジュール保持体の断面図。
【図４】図１のモジュール保持体を一方の側から見た図。
【図５】図１のモジュール保持体を有するモジュールの下面図。
【図６】図１に示されたモジュール保持体に挿入するためのU字形の曲げ部材の斜視図。
【図７】図８のキャビネット壁に使用するためのクランプの斜視図。
【図８】キャビネット壁の斜視図。
【符号の説明】
【００２４】
１  モジュール保持体
２  複式差込み体
３  差込み体
４  差込み体
５  クランプ
６  スイッチ
７  スイッチ
８  切欠き
９  保持レール
１０  保持レール
１１  舌状部
１２  モジュール保持プレート
１３  上方の縁部領域
１４  下方の縁部領域
１５  脚部
１６  脚部
１７  段部
１８  段部
１９  ストッパ
２０  ストッパ
２１  曲げ部材
２２  端部
２３  端部
２４  負荷方向
２５  脚端部
２６  脚端部
２７  脚部
２８  脚部
２９  調節ねじ
３０  クランププレート
３１  キャビネット壁
【図１】
2009514488.tif 000003
【図２】
2009514488.tif 000004
【図３】
2009514488.tif 000005
【図４】
2009514488.tif 000006
【図５】
2009514488.tif 000007
【図６】
2009514488.tif 000008
【図７】
2009514488.tif 000009
【図８】
2009514488.tif 000010
【国際調査報告】
2009514488.tif 000011
2009514488.tif 000012
2009514488.tif 000013
2009514488.tif 000014
2009514488.tif 000015
2009514488.tif 000016